【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
これから符号化しようとする画像がフェード区間を構成する画像であるか否かを示すフェード情報信号を取得する取得手段と、
前記フェード情報信号に基づいて、前記画像を符号化するときに実行される処理を変更する変更手段と
を備える符号化装置。
【請求項２】
前記変更手段は、これから符号化しようとする画像がフェード区間を構成する画像である場合、前記画像に対して実行される動き補償の処理を変更する
請求項１に記載の符号化装置。
【請求項３】
前記変更手段は、前記画像がフェード区間を構成する画像としてのＰピクチャである場合、前記動き補償の重み付け予測モードをWeighted Predictionモードに変更する
請求項２に記載の符号化装置。
【請求項４】
前記変更手段は、前記画像がフェード区間を構成する画像としてのＢピクチャである場合、前記動き補償の重み付け予測モードをExplicit Weighted PredictionモードまたはImplicit Weighted Predictionモードに変更する
請求項２に記載の符号化装置。
【請求項５】
前記動き補償として前方向予測モードにより前記画像を予測して得られた前方向予測画像と、前記動き補償として後方向予測モードにより前記画像を予測して得られた後方向予測画像とを生成する生成手段をさらに備え、
前記変更手段は、前記画像がフェード区間を構成する画像としてのＢピクチャである場合、前記前方向予測画像および前記画像の差である予測残差と、前記後方向予測画像および前記画像の差である予測残差との差が所定の閾値以下であるとき、前記動き補償の動き補償モードを双方向予測モードに変更する
請求項２に記載の符号化装置。
【請求項６】
前記変更手段は、前記画像がフェード区間を構成する画像としてのＢピクチャである場合、前記動き補償の動き補償モードを双方向予測モードに変更する
請求項２に記載の符号化装置。
【請求項７】
前記変更手段は、前記画像がフェード区間を構成する画像である場合、前記画像のGOP（Group Of Pictures）構造を変更する
請求項１に記載の符号化装置。
【請求項８】
前記GOP構造は、ＰピクチャおよびＩピクチャから構成されるGOP構造に変更される
請求項７に記載の符号化装置。
【請求項９】
前記GOP構造は、ＰピクチャとＰピクチャとの間に１つのＢピクチャが配置されたGOP構造に変更される
請求項７に記載の符号化装置。
【請求項１０】
前記GOP構造は、ＰピクチャとＰピクチャとの間に２つのＢピクチャが配置されたGOP構造に変更される
請求項７に記載の符号化装置。
【請求項１１】
前記変更手段は、前記画像が符号化されるときに割り当てられる前記画像のビットレートを変更する
請求項１に記載の符号化装置。
【請求項１２】
前記変更手段は、前記画像がフェード区間を構成する画像である場合、前記画像のビットレートが予め定められたビットレートよりも高くなるように、前記画像のビットレートを変更する
請求項１１に記載の符号化装置。
【請求項１３】
前記変更手段は、前記画像がフェード区間を構成する画像でない場合、これまで符号化された画像の符号量の合計が目標となる符号量よりも多いとき、これから符号化する前記画像のビットレートが予め定められたビットレートよりも低くなるように、前記画像のビットレートを変更する
請求項１１に記載の符号化装置。
【請求項１４】
前記変更手段は、前記画像を直交変換することにより得られた変換係数が、その変換係数の周波数に応じて重み付けされて量子化されるときに用いられる重み付け係数のマトリクスを変更する
請求項１に記載の符号化装置。
【請求項１５】
前記変更手段は、前記画像がフェード区間を構成する画像である場合、所定の周波数より高い周波数の前記変換係数に対する重み付け係数が予め定められた重み付け係数よりも大きく、前記所定の周波数より低い周波数の前記変換係数に対する重み付け係数が予め定められた重み付け係数よりも小さい重み付け係数から構成されているマトリクスに、前記変換係数を量子化するときに用いるマトリクスを変更する
請求項１４に記載の符号化装置。
【請求項１６】
前記変更手段は、前記画像がフェード区間を構成する画像である場合、所定の周波数より高い周波数の前記変換係数に対する重み付け係数が予め定められた重み付け係数と同じであり、前記所定の周波数より低い周波数の前記変換係数に対する重み付け係数が予め定められた重み付け係数よりも小さい重み付け係数から構成されているマトリクスに、前記変換係数を量子化するときに用いるマトリクスを変更する
請求項１４に記載の符号化装置。
【請求項１７】
前記変更手段は、前記画像がフェード区間を構成する画像である場合、所定の周波数より高い周波数の前記変換係数に対する重み付け係数が予め定められた重み付け係数よりも大きく、前記所定の周波数より低い周波数の前記変換係数に対する重み付け係数が予め定められた重み付け係数と同じである重み付け係数から構成されているマトリクスに、前記変換係数を量子化するときに用いるマトリクスを変更する
請求項１４に記載の符号化装置。
【請求項１８】
これから符号化しようとする画像がフェード区間を構成する画像であるか否かを示すフェード情報信号を取得し、
前記フェード情報信号に基づいて、前記画像を符号化するときに実行される処理を変更する
符号化方法。
【請求項１９】
これから符号化しようとする画像がフェード区間を構成する画像であるか否かを示すフェード情報信号を取得し、
前記フェード情報信号に基づいて、前記画像を符号化するときに実行される処理を変更する
ステップをコンピュータに実行させるプログラム。
【手続補正２】
【補正対象書類名】明細書
【補正対象項目名】発明の名称
【補正方法】変更
【補正の内容】
【発明の名称】符号化装置および方法、並びにプログラム
【手続補正３】
【補正対象書類名】明細書
【補正対象項目名】０００１
【補正方法】変更
【補正の内容】
【０００１】
本発明は符号化装置および方法、並びにプログラムに関し、特に、より画質のよい画像を得ることができるようにした符号化装置および方法、並びにプログラムに関する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
本発明の一側面の符号化装置は、これから符号化しようとする画像がフェード区間を構成する画像であるか否かを示すフェード情報信号を取得する取得手段と、前記フェード情報信号に基づいて、前記画像を符号化するときに実行される処理を変更する変更手段とを備える。
【手続補正１５】
【補正対象書類名】明細書
【補正対象項目名】００４０
【補正方法】変更
【補正の内容】
【００４０】
本発明の一側面の符号化方法またはプログラムは、これから符号化しようとする画像がフェード区間を構成する画像であるか否かを示すフェード情報信号を取得し、前記フェード情報信号に基づいて、前記画像を符号化するときに実行される処理を変更するステップを含む。
【手続補正１６】
【補正対象書類名】明細書
【補正対象項目名】００４１
【補正方法】変更
【補正の内容】
【００４１】
本発明の一側面においては、これから符号化しようとする画像がフェード区間を構成する画像であるか否かを示すフェード情報信号が取得され、前記フェード情報信号に基づいて、前記画像を符号化するときに実行される処理が変更される。
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】変更
【補正の内容】
【００４４】
本発明の一側面によれば、画像を符号化することができる。特に、本発明の第３の側面によれば、画質の劣化を抑制し、より効率よく画像を符号化することができる。
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】削除
【補正の内容】
【手続補正２４】
【補正対象書類名】明細書
【補正対象項目名】００５０
【補正方法】削除
【補正の内容】
【手続補正２５】
【補正対象書類名】明細書
【補正対象項目名】００５１
【補正方法】削除
【補正の内容】
【手続補正２６】
【補正対象書類名】明細書
【補正対象項目名】００５２
【補正方法】削除
【補正の内容】
【手続補正２７】
【補正対象書類名】明細書
【補正対象項目名】００５３
【補正方法】削除
【補正の内容】
【手続補正２８】
【補正対象書類名】明細書
【補正対象項目名】００５４
【補正方法】変更
【補正の内容】
【００５４】
本発明の一側面の符号化装置は、これから符号化しようとする画像がフェード区間を構成する画像であるか否かを示すフェード情報信号を取得する取得手段（例えば、図３の取得部１００）と、前記フェード情報信号に基づいて、前記画像を符号化するときに実行される処理を変更する変更手段（例えば、図３の動き補償モード決定回路９４）とを備える。
【手続補正２９】
【補正対象書類名】明細書
【補正対象項目名】００６４
【補正方法】変更
【補正の内容】
【００６４】
本発明の一側面の符号化方法またはプログラムは、これから符号化しようとする画像がフェード区間を構成する画像であるか否かを示すフェード情報信号を取得し（例えば、図６のステップＳ６１）、前記フェード情報信号に基づいて、前記画像を符号化するときに実行される処理を変更する（例えば、図６のステップＳ６４およびステップＳ６８）ステップを含む。